(57)【要約】      （修正有）【課題】単純な構造で製造コストを抑え、しかも場所を取らずに口径の小さなタンクでも設置できる液量計を提供する。【解決手段】測定対象の液体より大きな比重を有し略垂直に保持された浮力体と、該浮力体を摺動自在に保持するホルダー部と、該ホルダー部に配置されて前記浮力体を支持する弾性部材とからなることを特徴とする。【選択図】図１
0003119052.tif 000002
【実用新案登録請求の範囲】
【請求項１】
測定対象の液体より大きな比重を有し略垂直に保持された浮力体と、該浮力体を摺動自在に保持するホルダー部と、該ホルダー部に配置されて前記浮力体を支持する弾性部材とからなることを特徴とする液量計。
【請求項２】
測定対象の液体より大きな比重を有し略垂直に保持された浮力体と、該浮力体を摺動自在に保持するホルダー部と、該ホルダー部に配置されて前記浮力体を支持する弾性部材とからなる液量計であって、前記浮力体が中空状パイプであり、少なくともその一端が閉止されていることを特徴とする液量計。
【請求項３】
測定対象の液体より大きな比重を有し略垂直に保持された浮力体と、該浮力体を摺動自在に保持するホルダー部と、該ホルダー部に配置されて前記浮力体を支持する弾性部材とからなる液量計であって、前記ホルダー部の周囲に、測定対象の液体の比重別に液量レベルを表示するレベルゲージが設けられていることを特徴とする液量計。
【考案の詳細な説明】
【技術分野】
【０００１】  本考案は、設置型灯油タンク等の液量を表示する液量計に関する。
【背景技術】
【０００２】  設置型灯油タンク等の液体タンクの液量を表示する機構としてはフロート型が一般的に用いられている。例えば、特許文献１（実開昭６４−２１２１号公報）には、液体容器内に上下方向に枢動可能に設けられ該液体容器内の液面に浮く浮子を一端部に取着した浮子アームと、前期液体容器の上部に設けられた表示部とを有した液量計が開示されている。この浮子は液面に浮くことにより液量の増減に従って上下動するため、この動きをリンク機構を介して表示部に伝達する構成となっている。【０００３】  また、特許文献２（実開平７−３９７１３号公報）には、浮力物を用いた電気釜の水量測量器具が開示されており、浮力物の上下によって電気釜内の水量を計測する機構が提案されている。しかし、この「浮力物」は、「下端部が図３で示すように水面に浮き上がるような素材から構成され、しかもその下端部が水面下に入り込み米と接触しないように平坦面にて形成されている」との記述がある。すなわち、この浮力物は水面上に完全に浮き上がって上下動するものである。【０００４】
【特許文献１】実開昭６４−２１２１号公報
【特許文献２】実開平７−３９７１３号公報
【考案の開示】
【考案が解決しようとする課題】
【０００５】  特許文献１に代表されるようなフロート型の液量計では、リンク機構をタンク内にない蔵しなければならないので、ある程度の幅或いは奥行きのあるタンクでなければ設置できないという欠点があった。【０００６】  特許文献２に提案されているタイプの液量計では、浮力物を含むスライド部は上下に動くので平面的な空間は少なくて済む。しかし、浮力物の上下動は水面の増減と同じ距離であるため、電気釜のような小さなものには適用できるが、灯油タンクのような大きいものに適用しようとすると表示部の長さがきわめて長くなってしまうという問題点がある。【０００７】  特許文献３に提案されているような静電容量型の液量計は、形態のレベルを電気的に測定するため、設置空間が少なくて済む。しかしながら、大きなタンクの液量を測定しようとするとタンクの高さに見合った長さの電極が必要となり、コストが高くなるという問題がある。また、電気的な装置のため、何らかの電源も必要となり、結果的に高価となってしまう。【０００８】  測定対象の液体はその種類によって比重が異なる為、浮力体が受ける浮力と弾性部材の反発力との均衡位置に差異が生じてしまう。【０００９】  本考案の液量計は上述の問題点に鑑みてなされたものであり、単純な構造で製造コストを抑え、しかも場所を取らずに口径の小さなタンクでも設置できる液量計を提供することを課題とする。
【課題を解決するための手段】
【００１０】  上記の課題を解決するため本考案による液量計は、測定対象の液体より大きな比重を有し略垂直に保持された浮力体と、該浮力体を摺動自在に保持するホルダー部と、該ホルダー部に配置されて前記浮力体を支持する弾性部材とからなることを特徴とする。【００１１】  前記浮力体は中空状パイプであり、少なくともその一端が閉止されていることが望ましい。【００１２】  前記ホルダー部の周囲には、測定対象の液体の比重別に液量レベルを表示するレベルゲージが設けられていることが好適である。
【考案の効果】
【００１３】  本考案による液量計は構造が簡単なので安いコストで製造することができる。また、基本的にホルダー部の幅だけあれば設置できるので、ドラム缶のような縦長の容器や底が深い容器等にも設置することが可能である。さらに、測定対象の液体の比重別に液量レベルを表示しているので、油性の液体から水溶性の液体まで広範囲に使用が可能である。
【考案を実施するための最良の形態】
【実施例】
【００１４】  図１（ａ）は本考案による液量計の一実施例の断面図を示す。本考案による液量計の構造としては、灯油タンク等の液体容器に取り付けるためのホルダー部４に貫通孔７が形成されており、この貫通孔７の内径よりも若干小さい外径を有する中空パイプ状の浮力体１が貫通孔７に挿通されている。この浮力体１の下端部は栓８により閉止されている。また、浮力体１の上端部にはレベルマーカー５が配置されている。浮力体１にはさらに弾性部材２によりホルダー部と摺動自在に連結されている。ホルダー部４と浮力体１の周囲には、本液量計の保護カバーを兼ねた表示部６が設けられている。表示部はプラスチック等の透明材質の素材を用い、表面にタンク内の液体量を示す液量表示が形成されている。【００１５】  本実施例における浮力体１は、アルミニウム等の金属パイプでもよいし、また塩化ビニールやポリプロピレンなどのプラスチックパイプも利用できる。浮力体１の材質やパイプ穴径の比率は、測定しようとする液体の比重とのバランスを考慮して決定することができる。また、弾性部材２としては、金属製のスプリングが好適であるが、浮力体１とホルダー部４とを摺動自在に連結できる部材であれば、他の素材も利用できる。さらに、ホルダー部の形状を容器に合わせて変更することにより、種々の容器に対応できる。【００１６】  次に、本実施例の液量計の動作について説明する。浮力体１はタンク内部の液体よりも若干比重が大きくなるよう構成されておりまた略垂直に配置されているので、タンク内が空でもまた液体で満たされている場合でも、常に自重によりタンク底部に向って落ちようとする力が働いている。弾性部材２は、一端が浮力体１に、他端がホルダー部４に固定されており、浮力体の荷重を受け止めると共に、その弾性力により浮力体１を上向きに付勢している。【００１７】  タンク内が空の場合には浮力体１が液体からの浮力を受けないため重量が最も重くなり、浮力体１はホルダー４上で最下位まで下降する。タンク内の液量が増えるに従って液体から受ける浮力が増大するため、弾性部材２の反発力により浮力体は上方へ移動する。タンク内の液量が満杯になったときに浮力体１はホルダー４上の最高位に到達することになる。従って、タンクの水平断面積が一定ならば、浮力体１の上端部は最高位と最下位の間で液量に比例した位置に留まる。よって、表示部６上に浮力体１上のレベルマーカー５に見合った表示を設けることにより、タンク内の液量を表示することができる。【００１８】  図１（ｂ）は本考案による液量計の液量表示部の一実施例の正面図を示す。測定対象の液体の比重別と、測定対称の代表例として水と灯油の液量表示を形成している。浮力体１が受ける浮力は液体の比重によって異なる為、液体別、及び比重別に表示する事で幅広い液体に利用可能である。
【産業上の利用可能性】
【００１９】  本考案による液量計は、簡単かつコンパクトで場所を取らない構造のため、灯油タンク等の液体容器における液量表示に利用可能である。
【図面の簡単な説明】
【００２０】
【図１】（ａ）は本考案による液量計の一実施例を示す断面図、（ｂ）は測定対象の液体の比重別液量レベルゲージである。
【符号の説明】
【００２１】１    浮力体
２    弾性部材
３    容器
４    ホルダー部
５    レベルマーカー
６    表示部
７    貫通孔
８    栓
【図１】
0003119052.tif 000003